(57)【特許請求の範囲】
【請求項１】
ＬＥＤを点灯させる点灯回路を収容するＬＥＤランプの口金を介して前記ＬＥＤランプを付け外し可能に取り付けるソケットと、
前記ソケットに電気的に接続され且つ商用電源から受電する受電手段と、
前記ソケットと前記受電手段との間に配され且つ前記ＬＥＤランプに過剰電流が流れるのを抑制する過剰電流抑制手段と、
前記受電手段が収容される第１空間と、前記過剰電流抑制手段が収容される第２空間とを隣接状態で内部に有する筐体と
を備え、
前記受電手段は、商用電源に接続された配線と接続される第１金属体を有し、
前記第１金属体は、前記第１空間から前記第２空間へと延伸する延伸部を有し、
前記過剰電流抑制手段は、前記延伸部に電気的に接続している
装置本体。
【請求項２】
前記筐体は、前記第２空間を開閉自在とする蓋体を有する
請求項１に記載の装置本体。
【請求項３】
前記過剰電流抑制手段は、基板に過剰電流抑制素子が実装されてなり、
前記延伸部が前記基板に接続されている
請求項１又は２に記載の装置本体。
【請求項４】
前記過剰電流抑制素子は、ポリスイッチである
請求項３に記載の装置本体。
【請求項５】
装置本体と、前記装置本体に付け外し可能に取り付けられるＬＥＤランプとを備え、
前記装置本体が請求項１〜４の何れか１項に記載の装置本体である
ＬＥＤ照明装置。
【発明の詳細な説明】
【技術分野】
【０００１】
本発明は、ＬＥＤを光源とするＬＥＤランプが付け外し可能に取り付けられる装置本体及び当該装置本体を備えるＬＥＤ照明装置に関するものである。
【背景技術】
【０００２】
従来から、全体形状が電球状をした、所謂電球型のＬＥＤランプがある。電球型のＬＥＤランプは、例えば、天井に埋め込まれた装置本体に付け外し可能に取り付けられるダウンライトの光源として利用されている（例えば、特許文献１）。
電球型のＬＥＤランプは、ＬＥＤを点灯させるための点灯回路を有している。この点灯回路には、電源をオンした際に生じる過剰電流対策用の素子等を備えたものがある。
【先行技術文献】
【特許文献】
【０００３】
【特許文献１】特開２０１３−１４３２３５号公報
【発明の概要】
【発明が解決しようとする課題】
【０００４】
しかしながら、ＬＥＤランプを付け外し可能なＬＥＤ照明装置においては、過剰電流対策が施されていないＬＥＤランプが装置本体に取り付けられることがある。この場合、過剰電流に対する安全性の問題が生じる。
本発明の目的は、上記の問題点に鑑み、取り付けられるＬＥＤランプに関係なく、過剰電流に対する安全性を高めることができる装置本体及びＬＥＤ照明装置を提供することである。
【課題を解決するための手段】
【０００５】
本発明に係る装置本体は、ＬＥＤを点灯させる点灯回路を収容するＬＥＤランプの口金を介して前記ＬＥＤランプを付け外し可能に取り付けるソケットと、前記ソケットに電気的に接続され且つ商用電源から受電する受電手段と、前記ソケットと前記受電手段との間に配され且つ前記ＬＥＤランプに過剰電流が流れるのを抑制する過剰電流抑制手段を有する。
また、本発明に係るＬＥＤ照明装置は、装置本体と、前記装置本体に付け外し可能に取り付けられるＬＥＤランプとを備え、前記装置本体が上記構成の装置本体である。
【発明の効果】
【０００６】
本発明に係る装置本体は、過剰電流抑制素子を有するため、取り付けられるＬＥＤランプに関係なく、過剰電流に対する安全性を高めることができる。
また、本発明に係るＬＥＤ照明装置は、装置本体に過剰電流抑制素子を有しているため、取り付けられるＬＥＤランプに関係なく、過剰電流に対する安全性を高めることができる。
【図面の簡単な説明】
【０００７】
【図１】実施形態に係るＬＥＤ照明装置を照射面側から見た斜視図である。
【図２】実施形態に係るＬＥＤ照明装置の断面図である。
【図３】装置本体からＬＥＤランプを取り外した状態を示す斜視図である。
【図４】装置本体の分解斜視図である。
【図５】レセップの斜視図である。
【図６】レセップの断面斜視図である。
【図７】本体カバーの底側を切り欠いた状態の斜視図である。
【図８】本体カバーをバッフル側からみた斜視図である。
【図９】筐体機能部の一部を分解した斜視図である。
【図１０】図９の状態を逆方向から見た斜視図である。
【図１１】受電手段及び過剰電流抑制手段を収容した筐体機能部の断面図である。
【図１２】筐体本体をバッフルと反対側から見た斜視図である。
【図１３】筐体本体をバッフル側から見た斜視図である。
【図１４】受電手段の主要部を取り出した斜視図である。
【図１５】ＬＥＤランプの分解斜視図である。
【図１６】点灯回路が実装されている光源基板の斜視図である。
【図１７】ケースを光源基板側から見た斜視図である。
【図１８】ケースをブラケット側から見た斜視図である。
【図１９】ブラケットをケース側からみた斜視図である。
【図２０】透光性カバーをＬＥＤの光出射方向から見た斜視図である。
【図２１】透光性カバーをＬＥＤ側から見た斜視図である。
【発明を実施するための形態】
【０００８】
本発明の一態様に係る装置本体は、ＬＥＤを点灯させる点灯回路を収容するＬＥＤランプの口金を介して前記ＬＥＤランプを付け外し可能に取り付けるソケットと、前記ソケットに電気的に接続され且つ商用電源から受電する受電手段と、前記ソケットと前記受電手段との間に配され且つ前記ＬＥＤランプに過剰電流が流れるのを抑制する過剰電流抑制手段とを有する。
別態様に係る装置本体において、前記受電手段が収容される第１空間と、前記過剰電流抑制手段が収容される第２空間とを隣接状態で内部に有する筐体を備える。これにより、電気的安全性を確保できる。
【０００９】
別態様に係る装置本体において、前記受電手段は、商用電源に接続された配線と接続される第１金属体を有し、前記第１金属体は、前記第１空間から前記第２空間へと延伸する延伸部を有し、前記過剰電流抑制手段は、前記延伸部に電気的に接続している。これにより、受電手段と過剰電流抑制手段とを容易に電気接続することができる。
別態様に係る装置本体において、前記筐体は、前記第２空間を開閉自在とする蓋体を有する。これにより、過剰電流抑制手段を交換可能にできる。
【００１０】
別態様に係る装置本体において、前記過剰電流抑制手段は、基板に過剰電流抑制素子が実装されてなり、前記延伸部が前記基板に接続されている。これにより過剰電流抑制素子と受電手段との電気接続を容易に行うことができる。
別態様に係る装置本体において、前記過剰電流抑制素子は、ポリスイッチである。これにより、一度過剰電流が過剰電流抑制手段に流れたとしても、ポリスイッチの温度が降下すれば、過剰電流植生素子としての機能が回復する。これにより、交換不要又は交換回数を少なくできる。
【００１１】
＜実施形態＞
以下に本発明に係る実施形態について、図面を参照しながら詳細に説明する。なお本実施形態は一例であり、これに限定されるものではない。
【００１２】
１．ＬＥＤ照明装置
図１は実施形態に係るＬＥＤ照明装置を照射面側から見た斜視図である。図２は実施形態に係るＬＥＤ照明装置の断面図である。図３は装置本体からＬＥＤランプを取り外した状態を示す斜視図である。
ＬＥＤ照明装置１は装置本体３とＬＥＤランプ３０１とからなる。装置本体３は、ＬＥＤランプ３０１が取り付けられる部位を照射面に向けて、天井、壁等の取付材の取付口を利用して取付材に取り付けられる。つまり、ＬＥＤ照明装置１は、埋設型の照明装置である。
ＬＥＤランプ３０１は、口金３１７を利用して装置本体３に対して付け外し可能に取り付けられる。これにより、ＬＥＤランプ３０１が交換可能となる。
【００１３】
２．装置本体
図４は装置本体の分解斜視図である。
装置本体３は、ＬＥＤランプ３０１と電気接続するレセップ１１、ＬＥＤランプ３０１を収容し且つレセップ１１を支持するバッフル１３、レセップ１１を覆う本体カバー１５、自装置を取付材に付け外し可能に取り付ける取付ばね１７を主に備える。また、装置本体３は、ＬＥＤランプ３０１の点灯中に発生する熱をバッフル１３へ効率よく伝えるための伝熱シート１８を備えてもよい。なお、ＬＥＤランプ３０１の出力によっては、熱シートを備えなくてもよい。
ここでのレセップ１１は、支持体１２を介して移動可能な状態でバッフル１３に支持されている。レセップ１１はＬＥＤランプ３０１を取り付ける機能も有し、移動可能な方向は、ＬＥＤランプ３０１をレセップ１１に取り付ける際又はレセップ１１から取り外す際に、ＬＥＤランプ３０１が移動する方向である。
【００１４】
装置本体３は、商用電源から受電する受電手段を有する。装置本体３は、ＬＥＤランプ３０１を電気的に保護する過剰電流抑制手段１６を有している。なお、受電した電力は、過剰電流抑制手段１６を経由してレセップ１１へと供給される。
【００１５】
（１）レセップ
ＬＥＤランプ３０１はねじ込み式の口金（Ｅタイプ）３１７を有している。このため、レセップ１１はＥタイプのソケット４１を有する。レセップ１１は、口金３１７を介してＬＥＤランプ３０１に電力を供給する機能の他、ＬＥＤランプ３０１を付け外し可能に取り付ける取付機能を有する。
レセップ１１は、バッフル１３内においてＬＥＤランプ３０１が所定位置で保持されるように、バッフル１３の所定部位に設けられている。ここでの部位はバッフル１３におけるＬＥＤランプ３０１が挿入される方向の端部である。
図５はレセップの斜視図である。図６はレセップの断面斜視図である。
レセップ１１は、図５及び図６に示すように、本体部１９とソケット部２１とを備えている。
【００１６】
（１−１）本体部
本体部１９は、一方側に凹み２３を有する台座部分２５と、台座部分２５の他方側から延伸する筒部分２７とを有している。台座部分２５の外径は筒部分２７の外径よりも大きく、台座部分２５と筒部分２７との間に段差２９が形成されている。台座部分２５の凹み２３を構成する周壁３１には、受電手段１４に接続された内部配線（図示省略）が通るための切欠き３３が設けられている。なお、受電手段とソケット部２１とを接続する配線と後述する、商用電源に接続された配線とを区別するために、受電手段とソケット部２１とを接続する配線を「内部配線」とし、商用電源に接続された配線を「外部配線」とする。  台座部分２５は、筒部分２７の中心軸の延伸する方向から見ると、全体として円形状をし、その中心軸を挟んで対向する部位が外方へと円弧状に張り出す張出領域３５となっている。
【００１７】
（１−２）ソケット部
ソケット部２１は、内部配線が接続される接続端子３７，３９と、接続端子３７，３９に電気的に接続され且つＬＥＤランプ３０１の口金３１７に接触するソケット４１とからなる。
接続端子３７，３９は台座部分２５の凹み２３の底に配される。ソケット４１は筒部分２７の内側に配される。
ソケット４１は、ＬＥＤランプ３０１の口金３１７を構成するシェル部と螺合するねじ筒体４３と、口金３１７を構成するアイレット部と当接するばね片４５とからなる。なお、ねじ筒体４３はＬＥＤランプ３０１を付け外し可能に取り付ける取付機能を構成する。
【００１８】
（２）バッフル
バッフル１３は、図１〜図４に示すように、底部４７と筒部４９とを有する有底筒状をしている。筒部４９は、具体的には円筒状をしている。ＬＥＤランプ３０１は筒部４９内に収容される。このため、バッフル１３の開口５０は、装置本体３にＬＥＤランプ３０１を取り付ける際に利用される取付口として機能する他、ＬＥＤランプ３０１からの光を出射する出射口として機能する。
バッフル１３の底部４７は、レセップ１１用の挿入孔５１を有している。レセップ１１は、ＬＥＤランプ３０１の付け外し方向（筒部４９の中心軸が延伸する方向）に移動可能にバッフル１３に設けられている。このため、挿入孔５１は、レセップ１１の筒部分２７が通過（挿入）でき且つレセップ１１の台座部分２５が通過できない大きさ・形状に構成されている。
【００１９】
バッフル１３は、ＬＥＤランプ３０１の点灯によりＬＥＤ３０３から発生する熱をバッフル１３側に効率よく伝導させるための熱伝導手段を有している。筒部４９は、図２に示すように、小径筒部５３と大径筒部５５とを少なくとも有している。ここでは、筒部４９は、１段付き筒状をしている。小径筒部５３と大径筒部５５との連結部５７は、バッフル１３に収容され且つレセップ１１に装着されたＬＥＤランプ３０１に当接するように構成されている。
ここでの連結部５７は、筒部４９の中心軸と直交する方向に延伸する。なお、ＬＥＤランプ３０１の形状によっては、連結部５７が傾斜してよい。このように熱伝導手段は、連結部（当接部）５７により構成される。
【００２０】
バッフル１３は、上記熱伝導手段を有する場合、ヒートシンクとしても機能させてもよい。この場合、バッフル１３は、例えば金属材料のような熱伝導特性の高い材料により構成することで実施できる。バッフル１３は、熱伝導手段を有し且つ熱伝導性の高い材料で構成されることにより、ＬＥＤランプ３０１の点灯中に発生した熱がバッフル１３から効率よく放出される。
バッフル１３は、装置本体３が取付材の取付口から取付材の裏側へと抜けるのを防止する抜け防止手段を有している。バッフル１３は、筒部４９の開口側端縁から径方向の外方へと延伸する外鍔部５９を有している。取付材の取付口が外鍔部５９の外周縁よりも小さい場合、取付材の取付口周辺に外鍔部５９が当接することとなる。このように抜け防止手段は外鍔部５９により構成される。
バッフル１３は、底部４７に本体カバー１５を固定するための固定手段を有している。本実施形態では、図２及び図３に示すように、固定はねじ体４８，７０により行われ、底部４７にねじ体４８，７０用の貫通孔５２，５４を有している。つまり、貫通孔５２，５４は、バッフル１３の固定手段の一例に相当する。なお、貫通孔５２，５４の図示は省略している。
【００２１】
（３）支持体
支持体１２は、ばね体、具体的にはコイルばね１２ａにより構成されている。コイルばね１２ａは、レセップ１１の台座部分２５と、バッフル１３の底部４７との間に配される。コイルばね１２ａは、レセップ１１の筒部分２７に外嵌する。コイルばね１２ａの一端は、バッフル１３における底部４７の挿入孔５１の周辺部分に当接する。コイルばね１２ａの他端は、レセップ１１の台座部分２５における段差２９に当接する。
コイルばね１２ａは、レセップ１１の自重がコイルばね１２ａに作用した状態において、レセップ１１の筒部分２７の端部（台座部分２５と反対側に位置する端部である。）がバッフル１３の内部に位置ように、配置及び構成されている。
【００２２】
コイルばね１２ａは、ＬＥＤランプ３０１をバッフル１３の底部４７の方向に近づける負荷を発生させる付勢手段を構成する。本実施形態では、ＬＥＤランプ３０１を装着するレセップ１１に対して、近づける方向の負荷を作用させている。つまり、ＬＥＤランプ３０１の口金３１７がソケット４１にねじ込まれると、レセップ１１の台座部分２５がバッフル１３の底部４７に近づく。これにより、コイルばね１２ａが圧縮され、レセップ１１をもとの位置に戻そうとする負荷がコイルばね１２ａに発生する。なお、レセップ１１及びコイルばね１２ａは、本体カバー１５により覆われる。
【００２３】
（４）本体カバー
図７は本体カバーの底側を切り欠いた状態の斜視図である。図８は本体カバーをバッフル側からみた斜視図である。
本体カバー１５は、上記のように、レセップ１１を覆うカバー機能部６１を有する。本実施形態では、本体カバー１５は、受電手段１４及び過剰電流抑制手段１６を格納する筐体として機能する筐体機能部６２を有する。なお、筐体機能部６２は、本発明の「筐体」の一例に相当する。
本体カバー１５は、カバー機能部６１と筐体機能部６２とを隣接する状態で有している。ここでは、カバー機能部６１と筐体機能部６２とは、ソケット４１の中心軸と直交する方向に隣接している。これにより、ソケット４１と過剰電流抑制手段１６との距離を近づけることができる。
本実施形態の本体カバー１５は、カバー機能部６１と筐体機能部６２とを一体として有しているが、筐体機能部６２を別体構造で有してもよいし、筐体機能部がバッフルに取り付けられる構造であってもよい。ただし、カバー機能部６１と筐体機能部６２とを一体化させることで、小型化できる。一体化により構造を簡単にできる。あるいは、内部配線を短くできる。
【００２４】
（４−１）カバー機能部
カバー機能部６１は、図１及び図２に示すように、底部６３と筒部６５とを有する有底筒状をしている。ここでは筒部６５は、円筒状に近い形状をしている。カバー機能部６１は、コイルばね１２ａにより支持されているレセップ１１をバッフル１３と反対側から覆う。
カバー機能部６１は、レセップ１１がバッフル１３の挿入孔５１から外れるのを防止する外れ防止手段を有する。カバー機能部６１は、レセップ１１の筒部分２７がバッフル１３の挿入孔５１から外れる前に台座部分２５に当接する台座当接部を有している。
ここでは、カバー機能部６１の底部６３は、コイルばね１２ａにより支持されたレセップ１１の台座部分２５との間隔がレセップ１１の筒部分２７のバッフル１３内への挿入量よりも小さくなるように、構成されている。つまり、底部６３は、台座当接部であり、外れ防止手段の一例に相当する。なお、台座当接部は、底部から台座部分に向かって突出する凸部で構成してもよい。
【００２５】
カバー機能部６１は、ＬＥＤランプ３０１の口金３１７がねじ込み式（Ｅタイプ）であるため、ＬＥＤランプ３０１の取付の際にレセップ１１が回転するのを規制する回転規制手段を有する。
筒部６５の内面には、レセップ１１が筒部分２７の中心軸回りに回転したときに、台座部分２５の張出領域３５と当接する張出領域当接部が少なくとも２つ設けられている。なお、張出領域３５と当接する当接部を、他の当接部と区別するため、「張出領域当接部」とする。
一方の張出領域当接部は、レセップ１１が時計回りに回転した際に当接し、他方の張出領域当接部は、レセップ１１が反時計回りに回転した際に当接する。なお、一方の張出領域当接部がレセップ１１の張出領域３５と当接した状態で、他方の張出領域当接部が張出領域３５と当接するようにすると、レセップ１１をほとんど回転させずに規制できる。
【００２６】
ここでは、張出領域当接部は、図７及び図８に示すように、筒部６５の中心軸側に張り出す張出部により構成されている。張出部は、ここでは、筒部６５の中心軸に沿って延伸するリブ６７ａ，６７ｂ，６７ｃ，６７ｄにより構成されている。リブ６７ａ，６７ｂ及びリブ６７ｃ，６７ｄは、各張出領域３５の両側にあり、合計で４個設けられている。
つまり、一方の張出領域３５は、筒部６５の中心軸方向から見たときに、一対のリブ６７ａ，６７ｂ間に配され、他方の張出領域３５は、筒部６５の中心軸方向から見たときに、一対のリブ６７ｃ，６７ｄ間に配される。
なお、張出部は、例えば、張出領域３５を除いた部分で周方向に沿って延伸する突状であってもよいし、こぶ状であってもよい。このようにリブ６７ａ，６７ｂ，６７ｃ，６７ｄは、カバー機能部６１の張出領域当接部であり、回転規制部の一例に相当する。
【００２７】
本体カバー１５は、カバー機能部６１をバッフル１３に固定するための固定手段を有する。本実施形態では、固定にねじ体を利用している。ここでは、ねじ体は、本体カバー１５の外部で利用されるねじ体７０と、本体カバー１５の内部で利用されるねじ体４８（図２参照）との２種類ある。このため、本体カバー１５の固定手段も２種類ある。
カバー機能部６１は、ねじ穴６８を有するボス６９ａ，６９ｂ，６９ｃを筒部６５の内面に有している。ボス６９ａ，６９ｂ，６９ｃ及びねじ穴６８は、バッフル１３の底部４７の貫通孔の位置に対応して設けられている。このボス６９ａ，６９ｂ，６９ｃとねじ穴６８が、１つ目の固定手段の一例に相当する。
カバー機能部６１は、貫通孔７１ｃを有する固定片部７１を筒部６５の外面に有する。この固定片部７１は、筒部６５の開口側端部であって筒部６５の周方向に間隔を置いて複数個所（例えば、２か所）に存在する。固定片部７１は、外方へと張り出し、バッフル１３の底部４７に当接する当接部分７１ａを有し、当接部分７１ａに貫通孔７１ｃを有する。当接部分７１ａと貫通孔７１ｃが、２つ目の固定手段の一例に相当する。
【００２８】
カバー機能部６１は、バッフル１３に対する位置決め手段を有している。固定片部７１は、当接部分７１ａの先端から底部６３と反対側に屈曲する屈曲部分７１ｂを有する。当接部分７１ａと屈曲部分７１ｂは、バッフル１３の底部４７と小径筒部５３の外面とに当接する。当接部分７１ａと屈曲部分７１ｂは、位置決め手段の一例に相当する。
（４−２）筐体機能部
図９は、筐体機能部の一部を分解した斜視図であり、図１０は、図９の状態を逆方向から見た斜視図である。図１１は、受電手段及び過剰電流抑制手段を収容した筐体機能部の断面図である。なお、図１１は、図２の断面と直交する断面である。
筐体機能部６２は、図１〜図４に示すように、全体の外観形状として箱状をしている。筐体機能部６２の高さ（ソケット４１の中心軸方向の寸法である。）は、本体カバー１５の高さ（ソケット４１の中心軸方向の寸法である。）を超えないように構成されている。これにより、装置本体３の背高を薄くすることができる。
筐体機能部６２は、対向する２面が開口する筐体本体７３と、筐体本体７３の一方の開口を塞ぐ第１蓋体７５と、筐体本体７３の他方の開口を塞ぐ第２蓋体７７とを有する。なお、第１蓋体７５及び第２蓋体７７は、蓋体を区別するために「第１」及び「第２」を付したものである。
【００２９】
本実施形態では、筐体機能部６２の第１蓋体７５はカバー体７９により覆われている。筐体本体７３は、図２に示すように、カバー体７９により覆われない部分で、連結機能部６０を介してカバー機能部６１に連結されている。
図１２は、筐体本体をバッフルと反対側から見た斜視図であり、図１３は、筐体本体をバッフル側から見た斜視図である。
筐体本体７３は、第２蓋体７７により塞がれる箱部８１と、箱部８１に対して第２蓋体７７により塞がれる側と反対側に設けられた端子台部８３とを一体に有する。
端子台部８３は、受電手段１４の一部又は全部（ここでは一部）を収容するための第１凹み８５を有する。第１凹み８５の開口は、第１蓋体７５により塞がれる一方の開口に相当する。箱部８１は、過剰電流抑制手段１６を収容するための第２凹み８６を有する。第２凹み８６の開口は、第２蓋体７７により塞がれる他方の開口に相当する。なお、第１凹み８５及び第２凹み８６は、凹みを区別するために「第１」及び「第２」を付したものである。
【００３０】
換言すると、図１１に示すように、端子台部８３と第１蓋体７５とにより形成される第１空間８４に受電手段１４が収容され、端子台部８３と第１蓋体７５とで受電手段収容部が構成される。図１１に示すように、箱部８１と第２蓋体７７とにより形成される第２空間８７に過剰電流抑制手段１６が収容され、箱部８１と第２蓋体７７とで過剰電流抑制手段収容部が構成される。
換言すると、筐体機能部６２は、第１空間８４と第２空間８７とを隣接する状態で備えている。これにより、受電手段と過剰電流抑制手段との距離が短くなり、電気接続を容易に行うことができる。
【００３１】
なお、第１空間８４及び第２空間８７は、空間を区別するために「第１」及び「第２」を付したものである。また、凹み８５，８６及び空間８４，８７の引き出し線は、凹み又は空間を構成する壁等の引き出し線と区別するために、先端を矢印としている。
端子台部８３及び第１蓋体７５は、受電手段１４を収容したり、固定したりするための各種手段を有する。これら各種手段の説明については、受電手段１４の構成の説明後に行う。箱部８１及び第２蓋体７７は、過剰電流抑制手段１６を収容したり、固定したりするための各種手段を有する。これら各種手段の説明については、過剰電流抑制手段１６の構成の説明後に行う。
【００３２】
（５）受電手段
（５−１）受電手段の概略
受電手段１４は、商用電源から受電する。なお、受電手段１４は、過剰電流抑制手段１６を介して内部配線によりレセップ１１のソケット４１と接続されている。これによりＬＥＤランプ３０１へ電力の供給が可能となる。
図１４は、受電手段の主要部を取り出した斜視図である。
受電手段１４は、商用電源に接続された外部配線を付け外し可能（挿抜可能）に接続する接続端子部９１と、外部配線の接続端子部９１への取り付け及び外部配線の接続端子部９１から取外しを操作する操作部９３とを有している。
【００３３】
接続端子部９１は２つある。図９に示すように、一方の第１接続端子部９１ａは商用電源に接続された一対の外部配線の一方と接続し、他方の第２接続端子部９１ｂは商用電源に接続された一対の外部配線の他方と接続する。なお、第１接続端子部９１ａ及び第２接続端子部９１ｂは、２つある接続端子部を区別するために「第１」及び「第２」を付したものである。
接続端子部９１は、第１金属体９５と、変形可能な第２金属体９７とからなる。操作部９３は第２金属体９７の変形方向に移動可能に支持される。操作者が操作部９３を操作する（移動させる）と第２金属体９７が変形して、第１金属体９５と第２金属体９７との間への外部配線の挿入が可能になったり、第１金属体９５と第２金属体９７とに挟まれていた外部配線の抜出が可能になったりする。なお、端子台部８３は、第１金属体９５を固定すると共に操作部９３を移動可能に保持する。
【００３４】
（５−２）接続端子部
接続端子部９１は、複数個の第１金属体９５と、複数個の第２金属体９７とから構成されている。実施形態では、接続端子部９１は、２個の第１金属体９５と、４個の第２金属体９７とから構成されている。接続端子部９１は２組あり、１組の接続端子部９１は、１個の第１金属体９５と１対（２個）の第２金属体９７とから構成される。
【００３５】
（５−２−１）第１金属体
第１金属体９５は、間隔をあけて配された一対（２枚）の平板部１０１，１０３と、一対の平板部１０１，１０３の一端部同士を連結する連結板１０５とを有し、全体形状としてチャネル状をしている。
本実施形態では、平板部１０１は、長手方向に間隔をおいて２つに分かれた平板領域１０７，１０９により構成されている。同様に、平板部１０３は、長手方向に間隔をおいて２つに分かれた平板領域１１１，１１３により構成されている。なお、第１金属体９５は、第１凹み８５の底に対して連結板１０５が立設する状態で一対の平板部１０１，１０３の内、平板部１０３側が端子台部８３の第１凹み８５の底側に位置するように配される。
【００３６】
第１金属体９５は、一対の平板部１０１，１０３のうち、一方の平板部１０３を構成する２つの平板領域１１１，１１３の間を通って他方の平板部１０１と反対側に延伸する延伸部１１５を有している。延伸部１１５は、第１金属体９５が端子台部８３に配された状態では、第１凹み８５の底の貫通孔１１７（図１２及び図１３参照）を通過して裏側の箱部８１の内部へと延出する。
第１金属体９５は第２金属体９７を固定するための固定手段を有している。固定手段は、例えば連結板１０５における平板部１０３側の端部から平板部１０３に沿って平行に延伸する延伸部分１１９と、平板部１０３における第１金属体９５の長手方向の中央に近い側の端部から平板部１０１に向けて折り曲げられた折曲部分１２０とから構成される。
【００３７】
（５−２−２）第２金属体
第２金属体９７は帯状の板材を湾曲させたような形状をしている。第２金属体９７は、細長い平板部１２１と、平板部１２１の長手方向の一方の端部から平板部１２１の主面と直交する方向へと「＜」字状に湾曲して延伸する湾曲部１２３と、平板部１２１の長手方向の他方の端部から一方端上方（上方は平板部１０１が存在する側である。）へと折り返されるように延伸する折返し部１２５とを有する。折返し部１２５は第１金属体９５の平板部１０１に対して遠近方向に弾性変形可能となっている。なお、遠近方向は平板部１０１の厚み方向である。
第２金属体９７は第１金属体９５の一対の平板部１０１，１０３の間に配される。具体的には、第２金属体９７の平板部１２１は第１金属体９５の一方の平板部１０３の内面に配される。これにより、第１金属体９５の他方の平板部１０１と折返し部１２５の先端との間で商用電源からの外部配線を付け外し可能に挟持できる。
【００３８】
湾曲部１２３の先端は、第１金属体９５の他方の平板部１０１との間の隙間が外部配線（リード線）の太さよりも狭くなるように、構成されている。湾曲部１２３は、外部配線が折返し部１２５を超えて他方の平板部１０１との間に挿入されると弾性変形する。これにより、外部配線の接続端子部９１からの抜けを少なくしている。ここで、第１金属体９５について、説明の便宜上、第１凹み８５の底側に位置する一方の平板部（１０３である。）を「固定側平板部」と、他方の平板部（１０１である。）を「接続側平板部」とすることもある。
電気的接続の観点からは折返し部１２５と湾曲部１２３の少なくとも一方があれば電気的に接続される。本例のように、折返し部１２５と湾曲部１２３との両方を備えると、電気的信頼性を向上させることができる。
【００３９】
湾曲部１２３は、外部配線の挿入の容易性を考慮して、外部配線が挿入されるに従って湾曲部１２３と接続側平板部１０１との間隔が狭くなる傾斜部分を有すればよい。
２個の第１金属体９５は、互いに平行であって、第１金属体９５の平板部１０１，１０３が対向する（他方の第１金属体９５に向かって延伸する）状態で配されている。換言すると、２個の第１金属体９５は、並列方向の両端側に各第１金属体９５の連結板１０５該位置するように配されている。
なお、受電手段１４は、上記構成の接続端子部９１を有することで、複数個の照明器具又はＬＥＤ照明装置を直列接続と並列接続の両方を選択可能となる。
【００４０】
（５−３）操作部
操作部９３は、第１金属体９５の接続側平板部１０１から固定側平板部１０３へと移動可能に保持される。第２金属体９７は、図１４に示すように、第１金属体９５に配された状態において、少なくとも折返し部１２５における第１金属体９５の連結板１０５と反対側の端部（１２５ａ）が接続側平板部１０１よりも他方の第１金属体９５側に張り出している。第２金属体９７の張り出した領域を、張出領域１２５ａとする。
つまり、接続側平板部１０１は、図１４に示すように操作部９３が配される側に切欠き１０１ａ有し、その部分の幅が切欠き１０１ａのない部分の幅より小さくなっている。このため、第２金属体９７の折返し部１２５が露出することとなる。なお、ここでの幅は、一対の第１金属体９５が並ぶ方向の寸法をいう。
【００４１】
操作部９３は折返し部１２５の張出領域１２５ａに当接するように配されている。これにより、操作部９３が固定側平板部１０３に近づくように移動すると、第１金属体９５の接続側平板部１０１と第２金属体９７の折返し部１２５との間隔が大きくなり、外部配線の付け外しが可能となる。なお、操作部９３の接続側平板部１０１側への復帰は折返し部１２５の復元力により行われる。
操作部９３は絶縁材料から構成されている。具体的には、操作部９３は樹脂材料により形成されている。操作部９３は、図９に示すように並列に配された２つの第１金属体９５の長手方向において同じ側に位置する端部に配された２個の第２金属体９７に跨るように当接する。
なお、第１金属体９５の長手方向の同じ側に配された２個の第２金属体９７が接触するのを防止するために、図９に示すように後述の端子台部８３の第３規制部１４７が２個の第２金属体９７の間に設けられている。このため、操作部９３は、第１金属体９５の長手方向から操作部９３を見たときに、逆「Ｕ」字状をしている。
【００４２】
操作部９３は、図１４に示すように、第１金属体９５の接続側平板部１０１から固定側平板部１０３へと延伸する一対の脚部分１２７，１２９と、一対の脚部分１２７，１２９における第２金属体９７と接触する側に位置する端部同士を連結する連結部分１３１とを有する。
一対の脚部分１２７，１２９は、第１金属体９５の接続側平板部１０１の切欠き１０１ａの位置に配される。なお、接続側平板部１０１の切欠き１０１ａは、操作部９３が第１金属体９５の長手方向に移動するのを規制する規制手段でもある。
連結部分１３１は、図１４にも示すように、貫通孔１３３を有している。この貫通孔１３３の大きさや形状は、折返し部１２５と接続側平板部１０１とによる外部配線の挟持状態を貫通孔１３３から視認できるようなものが好ましい。なお、本実施形態では、貫通孔１３３は、一対の脚部分１２７，１２９に跨らないように設けられている。
【００４３】
連結部分１３１は、図１４にも示すように、凹み１３４を有している。なお、この凹み１３４を他の凹みと区別するために操作凹み１３４とする。操作凹み１３４は、操作部９３を操作する際にドライバー等の工具を操作凹み１３４に挿入して操作部９３を押すのに利用される。
連結部分１３１における脚部分１２７，１２９が並ぶ方向の端部は、図１４に示すように、脚部分１２７，１２９と反対側から連結部分１３１を見たときに、脚部分１２７，１２９よりも内側に位置している。つまり、連結部分１３１と脚部分１２７，１２９との間に段差１３５が設けられている。
【００４４】
（６）受電手段収容部
受電手段収容部は、図９及び図１１に示すように、接続端子部９１及び操作部９３が配される端子台部８３と、端子台部８３に配された接続端子部９１及び操作部９３を被覆する第１蓋体７５とを有している。なお、受電手段収容部の構造を説明する際には端子台部８３と第１蓋体７５とが対向する面を基準にする。
【００４５】
（６−１）端子台部
端子台部８３は、図９に示すように、接続端子部９１の大部分及び操作部９３の脚部分１２７，１２９が配されるための第１凹み８５と、第１凹み８５に配された第１金属体９５や操作部９３の移動を規制する規制手段とを有している。
【００４６】
（６−１−１）第１凹み
第１凹み８５は、一対の第２金属体９７が組み込まれた２つの第１金属体９５が所定間隔をおいて平行な状態で嵌るように構成されている。ここでは、所定間隔は、操作部９３における２つの脚部分１２７，１２９の並ぶ方向が第１金属体９５の長手方向と直交する状態で、一対の第１金属体９５（切欠き１０１ａが存在する部分である。）の間に操作部９３が嵌る間隔である。
なお、受電手段１４は、第１凹み８５と操作部９３とで、一対の第１金属体９５の長手方向及び一対の第１金属体９５の並ぶ方向の移動が規制される。このため、第１凹み８５及び操作部９３も、受電手段１４の移動を規制する規制手段の１つである。
第１凹み８５は、深さ方向に端子台部８３を見たときに、矩形状をしている。矩形状の凹みにおいて、第１金属体９５の長手方向が延伸する方向を長手方向とし、２本の第１金属体９５が並ぶ方向を短手方向とする。なお、矩形状の長短は逆になる場合があってもよい。
【００４７】
第２金属体９７は、第１金属体９５の固定手段である延伸部分１１９と固定側平板部１０３との間に第２金属体９７の平板部１２１が挿入され且つ平板部１２１における湾曲部１２３側の端部が第１金属体９５の固定手段である折曲部分１２０に接触する又は近接する状態で（図１４の状態である）、第１金属体９５に組み込まれる。
第１凹み８５の深さは、第１金属体９５の接続側平板部１０１が第１凹み８５の外側に位置するように、構成されている。なお、第１凹み８５の深さは、その内部に第１金属体９５の全体が位置するように構成されてもよい。
端子台部８３における第１凹み８５の外周部であって第１蓋体７５と対向する対向面１３６には、図９及び図１２に示すように、第１凹み８５内に配される接続端子部９１に接続される外部配線用のベース側配線溝１３７が存在している。
【００４８】
ベース側配線溝１３７は、図９及び図１２に示すように、第１凹み８５の短辺を構成する部位に対して２個ずつ形成されている。ベース側配線溝１３７は第１金属体９５の長手方向に延伸する。より具体的には、ベース側配線溝１３７の延伸する仮想線は、第１金属体９５の接続側平板部１０１と第２金属体９７の折返し部１２５や湾曲部１２３の間を通る。これにより、接続側平板部１０１と折返し部１２５や接続側平板部１０１と湾曲部１２３との間に外部配線を誘導することができる。つまり、ベース側配線溝１３７は外部配線を接続端子部９１へと誘導する誘導手段でもある。
【００４９】
（６−１−２）規制手段
規制手段は、図１２に示すように、第２金属体９７のそれぞれにおける第１金属体９５の連結板１０５と反対側の端縁と当接（又は近接）する第１規制部１４１と、２つの操作部９３のそれぞれにおける脚部分１２７，１２９の並ぶ方向と平行な面と当接（又は近接）する第２規制部１４３，１４５と、各操作部９３の脚部分１２７，１２９の対向面と当接（又は近接）する第３規制部１４７とを有する。
規制手段は、第１凹み８５の長手方向の中央を通り且つ長手方向と直交する仮想面を基準にして面対称の状態で、第１規制部１４１、第２規制部１４３，１４５及び第３規制部１４７を有する。
各規制部１４１〜１４７は第１凹み８５の底から延伸する延伸壁により構成される。延伸壁は、例えば、凹部の短手方向に沿って延びる矩形壁１５１と、矩形壁１５１における長手方向の外側に位置する面１５１ａから平面視において「Ｌ」字状に延伸する一対のＬ字壁１５３とを有する。
【００５０】
一対のＬ字壁１５３は、矩形壁１５１から長手方向に平行に延伸し、その後、短手方向を互いに反対向きに屈曲して延伸する。ここで、平行に延伸する部分を「平行部分」１５３ａとし、反対向きに屈曲して延伸する部分を「屈曲部分」１５３ｂとする。
ここで、屈曲部分１５３ｂの端部のうち、平行部分から離れた位置にある端部を先端部とする。なお、図１２において、延伸壁（矩形壁１５１，Ｌ字壁１５３）に関連する引き出し線の先端を矢印とし、規制部１４１〜１４７と区別している。
【００５１】
第１規制部１４１はＬ字壁１５３の屈曲部分１５３ｂの先端部と矩形壁１５１の短手方向の端部とで構成される。第２規制部１４３，１４５はＬ字壁１５３の屈曲部分１５３ｂと矩形壁１５１との対向面で構成される。第３規制部１４７は一対の平行部分１５３ａの外面（対向面と反対側の面である。）で構成される。
なお、本実施形態では、規制部１４１〜１４７は第１凹み８５の開口から外部へと張り出しているが、第１蓋体７５との関係で第１凹み８５の内部に収まるように構成してもよい。また、各規制部１４１〜１４７を構成する延伸壁は、矩形壁１５１と一対のＬ字壁１５３とで構成したが、一対の「コ」字状をしたコ字壁で構成してもよい。また、壁の代わりに、ボスやリブを利用することも可能である。
【００５２】
（６−１−３）その他
端子台部８３は、第１蓋体７５と結合するための結合手段を有している。本実施形態では、図９に示すように、結合にねじ体１５７を利用している。ここでの結合手段は、第１蓋体７５との対向面１３６に形成されたねじ穴１５９であり、第１蓋体７５は結合用のねじ体１５７が挿通する貫通孔１６１を有する。
また、結合に係合構造を利用している。ここでの係合構造の一方が係合部１６３であり、他方が係合部１６５である。ここでの係合部１６３，１６５の一方（１６３）が、係合凸部であり、端子台部８３の外面に設けられている。係合部１６３，１６５の他方（１６５）が、係合孔であり、第１蓋体７５の側壁１６９から延出する係合片１６４に設けられている。なお、係合部１６３，１６５の凹凸（孔）関係は逆であってもよいし、他の係合構造であってもよい。
なお、端子台部８３の底には、第１金属体９５の延伸部１１５が通過するための貫通孔１１７を有している（図１０及び図１３参照）。
【００５３】
（６−２）第１蓋体
第１蓋体７５は、接続端子部９１の一部及び操作部９３の連結部分１３１が配されるための第３凹み１７１と、第１蓋体７５が端子台部に８３に取り付けられた状態で接続端子部９１や操作部９３が外れるのを規制する規制手段とを有している。なお、第３凹みの「第３」は、第１凹み８５や第２凹み８６と区別するためものである。
【００５４】
（６−２−１）第３凹み
第３凹み１７１は、第１凹み８５と同様に、２つの第１金属体９５が所定間隔をおいて平行な状態で嵌るように構成されている。ここでは、所定間隔は、第１凹み８５での説明と同じである。
第３凹み１７１は、深さ方向に第１蓋体７５を見たときに、矩形状をしている。第３凹み１７１の深さは、第１金属体９５における端子台部８３の開口から張り出した部分（図９において第１金属体９５の見えている部分である。）が嵌るように、構成されている。
矩形状の第３凹み１７１において、第１金属体９５の長手方向が延伸する方向を長手方向とし、２本の第１金属体９５が並ぶ方向を短手方向とする。なお、矩形状の長短は逆になる場合があってもよい。
【００５５】
第１蓋体７５において第３凹み１７１の外側であって端子台部８３と対向する対向面１７３には、図１０に示すように、外部配線が配される蓋側配線溝１７５が存在している。蓋側配線溝１７５は、第３凹み１７１の短辺を構成する部位に対して２個ずつ形成されている。蓋側配線溝１７５は第１金属体９５の長手方向と平行に延伸する。つまり、蓋側配線溝１７５は端子台部８３に存在するベース側配線溝１３７に対応して設けられ、端子台部８３に第１蓋体７５が取り付けられると、ベース側配線溝１３７と蓋側配線溝１７５とにより受入口１７７を構成する（図１１参照）。
第１蓋体７５の底壁１７９には操作部９３の連結部分１３１と嵌合する嵌合孔１８１が存在する。なお、本実施形態では嵌合孔１８１は２個ある。
【００５６】
（６−２−２）規制手段
規制手段は、並列に配された２つの第１金属体９５に当接（又は近接）する規制部を有する。規制部は、図１０に示すように、第３凹み１７１の底から延伸する延伸壁１８３により構成される。延伸壁１８３は、第３凹み１７１の長手方向の中央位置を短手方向に沿って延びる。第１蓋体７５が端子台部８３に取り付けられると、延伸壁１８３における短手方向の端部が、第１金属体９５における接続側平板部１０１を構成する２つの平板領域１０７，１０９間に位置する（図１１参照）。
規制部は、第１蓋体７５の底壁１７９に設けられたリブとも言え、第１蓋体７５の補強機能も有する。
【００５７】
（６−２−３）その他
第１蓋体７５は、端子台部８３と結合するための結合手段を有している。本実施形態では、結合手段の１つは、ねじ体１５７を利用するものであり、ねじ体１５７が挿通する貫通孔１６１である。なお、この貫通孔１６１は、端子台部８３のねじ穴１５９の位置に対応して設けられている。
また、結合手段の１つは係合部であり、端子台部８３の係合部１６３に係合する係合部１６５である。係合部１６５は、端子台部８３の係合凸部（１６３）に係合する係合孔であり、第１蓋体７５の側壁１６９から端子台部８３側へと延出する係合片１６４に設けられている。
【００５８】
（６−３）カバー体
カバー体７９は、図９及び図１０に示すように、１つの面が開口する箱状をし、図１及び図４に示すように、第１蓋体７５側から受電手段収容部を覆う。カバー体７９は、開口側から見たときに、図１０に示すように矩形状している。カバー体７９は、天壁１８５、一対の長側壁１８７、一対の短側壁１８９を有している。
天壁１８５は、受電手段収容部内に配される２つの操作部９３に対応した各位置に操作孔１９１を有している。平面視において、操作孔１９１は、操作部９３の連結部分１３１の操作凹み１３４に対応した位置及び形状に構成されている。
操作孔１９１は貫通孔である。操作孔１９１は、例えばドライバー等の工具を操作孔１９１に挿入して、折返し部１２５を弾性変形させる方向に操作部９３を移動（操作）させるために利用される。
【００５９】
短側壁１８９は、受電手段収容部の外部配線用の受入口１７７に対応した各位置に外部配線孔１９３を有している。なお、外部配線孔１９３の中心は、受電手段収容部の受入口１７７の中心軸の延長上に略存在する。
カバー体７９は、受電手段収容部に取り付けるための取付手段を有している。本実施形態では、取付に係合構造を利用している。取付手段は、第１蓋体７５の側壁１６９の端縁に係合する係合凸部１９５により構成されている。係合凸部１９５は、複数個、例えば４個あり、１つの長側壁１８７に対して２個存在する。長側壁１８７の２個の係合凸部１９５は、第１蓋体７５の係合片１６４の両側位置に対応して、設けられている。
【００６０】
（７）過剰電流抑制手段
過剰電流抑制手段１６は、ＬＥＤ照明装置１の電源をオンした際に発生する恐れのある突入電流がＬＥＤランプ３０１に供給されるのを防止する。過剰電流抑制手段１６は、レセップ１１（ソケット４１）と受電手段１４との間に設けられている。
過剰電流抑制手段１６は、過剰電流抑制素子により構成される。過剰電流抑制素子は、正の温度係数を有するＰＴＣサーミスタである。また、過剰電流抑制素子は、所謂、ノーマリーオン型である。本実施形態では、ポリマー系のＰＴＣサーミスタであるポリスイッチ２０１が利用される。ポリスイッチ２０１は、過剰電流が流れると、素子内部の温度が上昇し、抵抗値が増大する。これにより、ＬＥＤランプ３０１に過電流が流れるのを抑制できる。
【００６１】
ポリスイッチ２０１は、図１０及び図１１に示すように、基板２０３に実装された状態で、過剰電流抑制手段収容部に格納されている。
基板２０３は、図１０及び図１１に示すように、受電手段１４を構成する一対の第１金属体９５の延伸部１１５と接続される。ここでは、延伸部１１５は、その先端部が基板２０３の接続孔に挿入されることで、基板２０３に電気的に接続する。なお、延伸部１１５と基板２０３とを接続することで、両者間の配線が不要となったり、受電手段１４と基板２０３との電気接続構造を簡単にできたりする。
ポリスイッチ２０１は、ＬＥＤランプ３０１に対して直列になるように基板２０３上の配線パターンに接続されている。ポリスイッチ２０１への入力は商用電源側からであり、出力はＬＥＤランプ３０１側である。ＬＥＤランプ３０１への出力は、一端が基板２０３に接続され、他端がレセップ１１の接続端子３７，３９に接続された内部配線により行われる。
【００６２】
（８）過剰電流抑制手段収容部
過剰電流抑制手段収容部は、図１０及び図１３に示すように、ポリスイッチ２０１が実装された基板２０３が配される箱部８１と、箱部８１の開口を開閉自在に塞ぐ第２蓋体７７とを有している。ここでは、受電手段１４を構成する第１金属体９５の延伸部１１５が延伸する方向に箱部８１の開口が存在する。
【００６３】
（８−１）箱部
箱部８１は、図１３に示すように、ポリスイッチ２０１付の基板２０３を配するための第２凹み８６と、第２凹み８６内に配された基板２０３用の固定手段、規制手段や支持手段等を有する。なお、固定手段は基板２０３を固定するための手段である。規制手段は、基板２０３の移動を規制するための手段である。支持手段は、基板２０３を箱部８１の底壁（２０５）に対して間隔をおいて支持するための手段である。
第２凹み８６は、凹みの開口側から見たときに、基板２０３に近い形状をしている。ここでは、矩形状の基板２０３よりも少し長い矩形状をしている。第２凹み８６を構成するため、箱部８１は、図１３に示すように、底壁２０５、一対の長側壁２０７、一対の短側壁２０９を有している。
【００６４】
第２凹み８６の深さは、突入電流等によりポリスイッチ２０１の温度が高くなった場合でも、箱部８１が熱変形しないように構成されている。
基板２０３の箱部８１への固定は、ここでは、ねじ体２１１を利用している。箱部８１は、その底壁２０５から開口側に向けて突出する突出部分２１３を有している。突出部分２１３は、例えばボスであり、ねじ体２１１用のねじ穴２１５を有する。つまり、突出部分２１３とねじ穴２１５は、固定手段の一例に相当する。なお、突出部分２１３は、基板２０３に当接しており、支持手段の１つとして機能する。
規制手段は、例えば箱部８１を構成する周壁を利用している。本実施形態では、基板２０３の短手方向の寸法が、１対の長側壁２０７の内面間距離に等しくなっている。このため、一対の長側壁２０７は、基板２０３の短手方向の移動を規制する規制手段の一例に相当する。
【００６５】
本実施形態では、箱部８１の短側壁２０９に１個又は複数個の突出部分２１７を有している。突出部分２１７は、短側壁２０９から他の短側壁２０９に向かって突出する。ここでは、突出部分２１７は、例えばリブであり、その先端部２１７ａが、図１１に示すように、基板２０３に近接する又は接触するように、設けられている。なお、ここでは、突出部分２１７の先端部２１７ａは基板２０３に近接している。短側壁２０９の突出部分２１７は、基板２０３の長手方向の移動を規制する規制手段の一例に相当する。
基板２０３の箱部８１内への配置は、例えば、一対の第１金属体９５の延伸部１１５の延伸方向に対して基板２０３が直交する状態で、箱部８１内に挿入することで行える。この際、箱部８１内の規制手段により、基板２０３の装着孔が延伸部１１５に嵌合するように案内される。
箱部８１は、第２蓋体７７を取り付けるための取付手段を有している。本実施形態では、取り付けに、図２、図９及び図１０に示すように、ねじ体２２５が利用されている。箱部８１は、ねじ体２２５用のねじ穴２１６を有している。このねじ穴２１６は箱部８１の長側壁２０７の外面に設けられた受け部２１８に設けられている。つまり、受け部２１８とねじ穴２１６は取付手段の一例に相当する。
【００６６】
（８−２）第２蓋体
第２蓋体７７は、箱部８１の開口側から見た外観形状と略一致した形状の板状部材により構成されている。第２蓋体７７は、板状部２２１と、第２凹み８６の開口側端と嵌合する嵌合部２２３とを有する。
第２蓋体７７は、箱部８１に取り付けるための取付手段を有している。本実施形態では、取り付けに、図２、図９及び図１０に示すように、ねじ体２２５が利用されている。
板状部２２１は、全体の概観形状が矩形状をし、一方の長辺部分から外方に延出する第１延出片２２７を有し、当該第１延出片２２７にねじ体２２５用の貫通孔２２９を有している。
【００６７】
ねじ体２２５は、貫通孔２２９を挿通した後、箱部８１の長側壁２０７の外面に設けられた受け部２１８のねじ穴２１６に螺合する。これにより、第２蓋体が箱部８１に対して付け外し可能に取り付けられることになり、ポリスイッチ２０１付の基板２０３の交換を容易に行うことできる。
板状部２２１は、他方の長辺部分から外方に延出する第２延出片２３１を有する。第２延出片２３１は、図２に示すように、本体カバー１５がバッフル１３に取り付けられた状態で、本体カバー１５とバッフル１３との間に向かって延出する。つまり、第２蓋体７７の箱部８１への取り付けは、ます、第２延出片２３１を本体カバー１５とバッフル１３との間に差し込み、その後、ねじ体２２５を第１延出片２２７の貫通孔２２９を挿通させて箱部８１の受け部２１８のねじ穴２１６に螺合させることで行われる。
【００６８】
（９）連結機能部
連結機能部６０は、カバー機能部６１の内部と、筐体機能部６２の内の過剰電流抑制手段を収容する過剰電流抑制手段収容部とを連通する状態で、カバー機能部６１と筐体機能部６２とを連結する。ここでは、図１０及び図１３に示すように、連通路２３３を介して行われる。
連通路２３３は、カバー機能部６１の筒部６５における筐体機能部６２側に位置する部分と、筐体機能部６２の箱部８１におけるカバー機能部６１側の長側壁２０７とに跨るように形成されている。
連通路２３３は、基板２０３とソケット部２１とを接続する内部配線用の通路としても機能する。カバー機能部６１は、連通路２３３からカバー機能部６１の内部に導出された内部配線をソケット部２１側に配するための配線路２３５を有する。
【００６９】
なお、配線路２３５は、連通路２３３に連続し、カバー機能部６１の筒部６５の内面に沿って設けられている。
配線路２３５は、図１０及び図１３に示すように、カバー機能部６１の底部６３から開口に向かって延出する配線壁２３７と、カバー機能部６１の筒部６５との間に形成される。配線壁２３７は、連通路２３３に対して間隔を置いて形成されおり、連通路２３３における周方向の端縁に接続されている。なお、連通路２３３には、図８に示すように、第２蓋体７７の第２延出片２３１が嵌合する。
【００７０】
（１０）取付ばね
取付ばね１７は、図１、図３及び図５に示すように、板ばね体１７ａにより構成されている。板ばね体１７ａは、「Ｖ」字に近い形状をし、一端部がバッフル１３に固定されている。本実施形態では、本体カバー１５をバッフル１３に固定するねじ体７０を利用して行われる。つまり、板ばね体１７ａは、本体カバー１５及びバッフル１３に固定するための固定手段を有する。
固定手段は、図４に示すように本体カバー１５に取り付ける取付部２３９に形成された貫通孔２４１により構成される。取り付けは、板ばね体１７ａの取付部２３９を本体カバー１５におけるカバー機能部６１の当接部分７１ａに当接させた状態で、ねじ体７０を板ばね体１７ａの貫通孔２４１及び本体カバー１５の固定片部７１の貫通孔７１ｃを挿通させてバッフル１３のねじ穴に螺合させることで行われる。
板ばね体１７ａは、複数本ある。ここでは、図４にも示すように、２本あり、そのうち１本にアース端子部２４３が設けられている。
【００７１】
（１１）伝熱シート
伝熱シート１８は、バッフル１３の筒部４９における連結部５７の内面に設けられている。伝熱シート１８は、図４に示すように、連結部５７の幅に合わせた環状（ここでは、円環状をしている。）をしている。これにより、ＬＥＤランプ３０１のブラケット３１３の大径底部分３５９との密着性を向上させることができる。なお、伝熱シートとして、例えば、シリコンシート、アクリルウレタンシート、スチレンゲルシート等がある。
【００７２】
３．ＬＥＤランプ
図１５は、ＬＥＤランプの分解斜視図である。
ＬＥＤランプ３０１は、ＬＥＤ３０３、当該ＬＥＤ３０３を点灯させる点灯回路３０５（図１６参照）、点灯回路３０５を構成する電子部品３０７とＬＥＤ３０３とが実装される光源基板３０９、光源基板３０９が取り付けられ且つ点灯回路３０５を収容するケース３１１、ケース３１１を覆うブラケット３１３、光源基板３０９上のＬＥＤ３０３を被覆する透光性カバー３１５、点灯回路に電気的に接続する口金３１７等を有する。なお、透光性カバー３１５とブラケット３１３とから外囲器が構成される。
【００７３】
（１）ＬＥＤ
ＬＥＤ３０３は光源として機能し、複数個のＬＥＤ３０３が光源基板３０９に実装される。複数個のすべてのＬＥＤ３０３又は複数個の内の半数以上のＬＥＤ３０３は、ＬＥＤの光出射方向から見たときに、光源基板３０９に環状に配されている。
ここでは、複数個の内の半数以上のＬＥＤ３０３ａは光源基板３０９の外側領域で円環状に配されている。残りのＬＥＤ３０３ｂは光源基板３０９の内側領域に四角環状に配されている。複数のＬＥＤ３０３は各領域において等間隔で実装されるのが好ましい。
【００７４】
図１５において、ＬＥＤ３０３を示す符号として「３０３ａ」と「３０３ｂ」とがあるが、上記の外側領域・内側領域に実装されるＬＥＤ３０３の区別を分かりやすくするために、便宜上使用している。なお、ＬＥＤ３０３ａとＬＥＤ３０３ｂとを、例えば、発光色や出力が異なるように、構造が異なるようにしてもよい。
外側領域に配されるＬＥＤ３０３ａは、光源基板３０９の外周縁３０９ａから離れており、ＬＥＤ３０３ａと外周縁３０９ａとの間の領域が、光源基板３０９が透光性カバー３１５によりブラケット３１３へと押圧される押圧領域となる。
なお、すべてのＬＥＤ３０３が外側領域に配されてもよい。また、内側領域に配されるＬＥＤ３０３ｂの配置は環状に限定するものでなく、列状であっても、マトリクス状であってもよい。複数のＬＥＤ３０３は、光色が１種類に限らず、複数種類あってもよい。
【００７５】
（２）点灯回路
図１６は点灯回路が実装されている光源基板の斜視図である。
点灯回路３０５は複数の電子部品３０７から回路構成されている。なお、図１６では、電子部品を示す符号「３０７」を、便宜上３個の電子部品に付しているが、電子部品は符号のある３の電子部品に限定するものではない。
点灯回路３０５は、例えば、整流回路、平滑回路、電圧変換回路等を有する。これらの回路を構成する電子部品３０７としては、コンデンサ、ダイオード、チョークコイル、ＬＥＤドライバ等がある。
【００７６】
点灯回路３０５の電子部品３０７は光源基板３０９の中央領域に配される。中央領域はＬＥＤ３０３が実装されている外側領域よりも内側に存在する領域の裏側に相当する。つまり、他方の主面３０９ｃにおいて、一方の主面３０９ｂの外側領域の裏側に位置する領域は、電子部品３０７が実装されていない非実装領域となっている。これにより、光源基板３０９における外側領域の裏面（他方の主面３０９ｃである）をブラケット３１３に広い領域で当接させることができる。
電子部品３０７の内、背の高い部品、例えばコンデンサは、リード線で折り曲げられ、本体部が光源基板３０９に沿う状態で配されている。これにより、ケース３１１の小型化を図ることができる。
なお、ここでは、すべての電子部品３０７が光源基板３０９の他方の主面３０９ｃに実装されているが、例えば、一部の電子部品を一方の主面３０９ｂに実装してもよい。一部の電子部品としては、部品による影等を考慮すると、背の低いダイオード等が好ましい。
【００７７】
（３）光源基板
光源基板３０９は、ここでは円形状をしている。光源基板３０９は、一方の主面３０９ｂにＬＥＤ３０３実装用の配線パターンを、他方の主面３０９ｃに電子部品３０７実装用の配線パターンをそれぞれ有している。光源基板３０９はケース３１１に１個又は複数個の固定部材を利用して固定される。ここでは、２個のねじ体３２１が利用される。このため、光源基板３０９はねじ体３２１用の貫通孔３２３を２個有する。貫通孔３２３の位置は内側領域内である。なお、光源基板３０９は、図示しない配線により口金３１７に電気的に接続される。
光源基板３０９は、ここでは、円形状をしているが、他の形状、例えば正方形状であってもよいし、円形状や正方形状の一部を切り欠いたような形状であってもよい。
【００７８】
（４）ケース
図１７はケースを光源基板側から見た斜視図であり、図１８はケースをブラケット側から見た斜視図である。
ケース３１１は、図１５、図１７及び図１８に示すように、段付き筒体により構成されている。ケース３１１は、有底大径筒部３２７と小径筒部３２９とを有する。ケース３１１は、絶縁材料、例えば、樹脂材料により構成される。
ケース３１１は、光源基板３０９を固定するための固定手段を有している。ここでは、固定にねじ体３２１が利用される。ケース３１１は、図１７に示すように、有底大径筒部３２７の底部分３３１から開口へ向かって突出する突出部３３３を有する。
突出部３３３は、ここでは、ボスにより構成されている。突出部３３３には、ねじ穴３３５が形成されている。突出部３３３及びねじ穴３３５の位置は、光源基板３０９の貫通孔３２３の位置に対応している。突出部３３３及びねじ穴３３５は、有底大径筒部３２７の中心軸を挟んで対向する位置に設けられている。
【００７９】
突出部３３３の突出量は、光源基板３０９が後述のブラケット３１３の当接部３５９ａに当接するように、構成されている。
光源基板３０９は、光源基板３０９の貫通孔３２３を挿通するねじ体３２１が突出部３３３のねじ穴３３５に螺合することで、ケース３１１に固定される。このように、突出部３３３とねじ穴３３５は、光源基板３０９をケース３１１に固定するためのケース３１１の固定手段の一例に相当する。また貫通孔３２３とその周辺部は、光源基板３０９の固定手段の一例に相当する。なお、突出部３３３は、光源基板３０９を支持する支持手段の一例を構成する。
ケース３１１は、点灯回路３０５を被覆する機能を有している。ケース３１１の有底大径筒部３２７の内部が、点灯回路３０５を収容する収容空間３３７となる。なお、点灯回路３０５の絶縁性確保のため、少なくとも有底大径筒部３２７を絶縁性材料で構成するのが好ましい。
【００８０】
ケース３１１は、口金３１７を装着する機能も有する。ケース３１１の小径筒部３２９の外径が口金３１７のシェル部の内径に対応しており、小径筒部３２９が口金３１７のシェル部の内部に挿入された状態で、口金３１７の開口周辺部３１７ａがかしめられる。これにより、ケース３１１に口金３１７が装着される。
ケース３１１は、ブラケット３１３と結合するための結合手段を有している。ここでは、結合にねじ体３４１が利用される。ケース３１１は、有底大径筒部３２７の底部分３３１から開口に向かって陥没する陥没部３４５を有している。
【００８１】
陥没部３４５は、小径筒部３２９側から挿入されるねじ体３４１と螺合するねじ穴３４７を有している。このように、陥没部３４５とねじ穴３４７はケース３１１の結合手段の一例に相当する。
本実施形態では、ブラケット結合用の陥没部３４５は、図１７に示すように、有底大径筒部３２７の筒部分３４９に連続する状態で形成されている。また、光源基板固定用の突出部３３３はリブ３５１により筒部分３４９に連結されている。これらにより、突出部３３３、陥没部３４５が機械的に補強される。
【００８２】
（５）ブラケット
図１９はブラケットをケース側からみた斜視図である。
ブラケット３１３は、図１５及び図１９に示すように、段付き筒体により構成されている。ブラケット３１３は、有底大径筒部３５５と有底小径筒部３５７とを有する。有底大径筒部３５５は、大径底部分３５９と大径筒部分３６１とを有する。有底小径筒部３５７は、小径底部分３６３と小径筒部分３６５とを有している。有底小径筒部３５７は、その内部が有底大径筒部３５５の内部と連通する状態で、大径底部分３５９に連結されている。
ブラケット３１３は、ケース３１１を被覆する機能を有している。ブラケット３１３の有底小径筒部３５７内の空間がケース３１１を収容する収容空間３６７となっている。つまり、ブラケット３１３の小径筒部分３６５の内径は、ケース３１１の有底大径筒部３２７の筒部分３４９の外径よりも大きくなっており、ブラケット３１３の有底小径筒部３５７にケース３１１が嵌る。
【００８３】
有底小径筒部３５７の小径底部分３６３は、その中央に延出口３６９を有している。この延出口３６９を介してケース３１１の小径筒部３２９がブラケット３１３から延出する状態で、ケース３１１がブラケット３１３に収容される。
ブラケット３１３は、ケース３１１を固定するための固定手段を有している。ここでは、固定に１個又は複数個のねじ体３４１（図３参照）が利用される。ブラケット３１３はねじ体３４１が挿通する貫通孔３７１を小径底部分３６３に１個又は複数個有している。
本実施形態では、貫通孔３７１は２個あり、小径筒部分３６５の中心軸を挟んで対向する２か所に設けられている。貫通孔３７１の位置は、ケース３１１の結合手段である陥没部３４５のねじ穴３４７の位置に対応している。
有底小径筒部３５７は、貫通孔３７１が形成されている部分が内部へと膨出する膨出部３７３を有している。つまり、貫通孔３７１は有底小径筒部３５７の小径底部分３６３と小径筒部分３６５に跨る膨出部３７３の先端に形成されている。また、有底小径筒部３５７の膨出部３７３はケース３１１の陥没部３４５に嵌合する。
【００８４】
膨出部３７３と貫通孔３７１は、ブラケット３１３の固定手段の一例に相当する。また、膨出部３７３は、ケース３１１に対してブラケット３１３の位置決め手段の一例を構成し、ケース３１１の陥没部３４５は、ブラケット３１３に対してケース３１１の位置決め手段の一例を構成する。
ブラケット３１３は、ＬＥＤ３０３が発光した際に発生する熱を放熱させるヒートシンクとしての機能を有する。ブラケット３１３は、ケース３１１よりも熱伝導性が高い材料により構成されている。具体的は、ブラケット３１３は金属材料により構成されている。
ブラケット３１３は、ヒートシンクとして効率よく機能するために、光源基板３０９の他方の主面３０９ｃであって、一方の主面３０９ｂに実装されているＬＥＤ３０３の裏側と当接する当接部を有している。当接部は、ブラケット３１３へ伝導する熱量を向上させる伝導熱量向上手段の一例を構成する。
【００８５】
ここでは、有底大径筒部３５５の大径底部分３５９の内面が当接部３５９ａとなっている。光源基板３０９が当接部３５９ａに当接するように、ブラケット３１３の有底小径筒部３５７の深さと、ケース３１１の有底大径筒部３２７の高さとが一致する。
ブラケット３１３は、透光性カバー３１５を装着するための装着手段を有している。ここでは、装着に係合構造が利用される。ブラケット３１３は、大径筒部分３６１に係合部３７５を１個又は複数個有している。
ここでは、係合部３７５は３個あり、周方向に等間隔で設けられている。係合部３７５は、大径筒部分３６１から筒部分の中心軸側に向かって凹入する係合凹部３７７である。この係合凹部３７７に透光性カバー３１５の係合凸部３８９が係合する。このように、係合部３７５（係合凹部３７７）は、ブラケット３１３の装着手段の一例に相当する。
【００８６】
（６）透光性カバー
図２０は透光性カバーをＬＥＤの光出射方向から見た斜視図であり、図２１は透光性カバーをＬＥＤ側から見た斜視図である。
透光性カバー３１５は、ＬＥＤ３０３を保護する機能を有する。透光性カバー３１５は、すべてのＬＥＤ３０３と間隔をおいてＬＥＤ３０３を覆う状態で、ブラケット３１３に装着される。
透光性カバー３１５は、ＬＥＤ３０３から出射された光を拡散・透過させて、ＬＥＤランプ３０１から出射させる機能を有する。透光性カバー３１５は透光性材料により構成され、例えば、透光性を有する樹脂材料により形成されている。拡散機能は、拡散粒子を樹脂材料に混入させたり、拡散膜を有したり、凹凸による拡散処理がなされたりすることで実施できる。
【００８７】
透光性カバー３１５は、図２０及び図２１に示すように、２重構造の２重筒部３８１と、２重筒部３８１の一端を塞ぐドーム状のドーム部３８３とを有する。２重筒部３８１は、内筒部分３８５と外筒部分３８７とを有する。
透光性カバー３１５は、ブラケット３１３に装着されるための装着手段を有する。ここでは、装着に係合構造が利用される。透光性カバー３１５は、外筒部分３８７に係合部３８８を１個又は複数個有している。ここでは、係合部３８８は、ブラケット３１３の係合部３７５に対応して３個あり、周方向に等間隔で設けられている。
係合部３８８の位置は、ブラケット３１３の係合部３７５に対応している。係合部３８８は、ここでは、外筒部分３８７から外筒部分３８７の中心軸側に突出する係合凸部３８９である。この係合凸部３８９がブラケット３１３の係合凹部３７７に係合する。このように係合部３８８（係合凸部３８９）は透光性カバー３１５の装着手段の一例に相当する。なお、ブラケット３１３と透光性カバー３１５との係合構造は、係合凹凸が逆であってもよい。
【００８８】
透光性カバー３１５は、ブラケット３１３の有底大径筒部３５５における開口側端部３６１ａが、外筒部分３８７と内筒部分３８５との間に挿入された状態で、ブラケット３１３に装着される。透光性カバー３１５は、ブラケット３１３の開口側端部３６１ａが外筒部分３８７と内筒部分３８５との間に挿入する際の位置規制手段を有する。
透光性カバー３１５は、内筒部分３８５と外筒部分３８７との間に跨るリブ３９１を複数個有する。リブ３９１は、周方向に間隔を置いて設けられている。リブ３９１におけるドーム部３８３と反対側の端部は、ブラケット３１３の有底大径筒部３５５の開口側端縁３６１ｂと当接する。リブ３９１の高さ（ドーム部３８３を基準にした高さである。）は、ブラケット３１３の有底大径筒部３５５の開口側端部３６１ａが設計通りに挿入された際に当接するように構成されている。このように、リブ３９１のドーム部３８３と反対側端は、位置規制手段の一例に相当する。
【００８９】
透光性カバー３１５は、透光性カバー３１５がブラケット３１３に装着された状態において、光源基板３０９をブラケット３１３の当接部３５９ａへと押圧する押圧手段を有する。透光性カバー３１５は、装着状態において、光源基板３０９をブラケット３１３の当接部３５９ａへ押圧するように、光源基板３０９に当接する押圧凸部３９３を複数個有している。
押圧凸部３９３おける透光性カバー３１５の開口側端が光源基板３０９におけるＬＥＤ３０３を実装する主面３０９ｂに当接する。当接する領域は、光源基板３０９において、外周縁３０９ａと外側領域に配されたＬＥＤ３０３ａとの間である。
【００９０】
光源基板３０９の中央領域がねじ体３２１により固定されるため、光源基板３０９の外側領域が当接部３５９ａから離れるように反る傾向にある。しかしながら、押圧凸部３９３により光源基板３０９の外周縁３０９ａに近い部が押圧されるため、前記反りは抑制される。
ここでは、押圧凸部３９３は、内筒部分３８５の内面に設けられ且つ内筒部分３８５の中心軸と平行に延伸するリブ３９５である。押圧凸部３９３は、内筒部分３８５の周方向に間隔（例えば、等間隔である。）を置いて３個設けられている。このように、押圧凸部３９３は透光性カバー３１５の維持手段の一例に相当する。なお、押圧凸部３９３は、周方向に隣接する係合部３８８の略中央に位置する。
なお、押圧凸部は、リブ３９５の代わりに、例えばリング状をしていてもよい。また、透光性カバーは、別部材としてリング材を内部に備えてもよい。
【００９１】
透光性カバー３１５は、ＬＥＤランプ３０１を装置本体３に装着する際に、装着作業を補助する補助手段を有している。透光性カバー３１５のドーム部３８３は、図２０に示すように、外面の一部が凸形状をした引掛部分３９７を有している。なお、この引掛部分３９７により作業者の指がドーム部３８３で滑り難くなり、ＬＥＤランプ３０１の装着作業が補助される。引掛部分３９７は、透光性カバー３１５の補助手段の一例に相当する。
ここでは、引掛部分３９７はドーム部３８３の外周縁に近い外周領域に存在する。引掛部分３９７は、ここではドーム部３８３の中央領域の外面を基準にすると、外面から突出する複数本の凸条３９９により構成されている。それぞれの凸条３９９は、径方向延伸し、周方向に間隔（例えば、等間隔である。）を置いて存在する。ここでは、引掛部分３９７は周方向の全域に亘って存在するが、例えば、複数本の凸条が形成された凸条領域を周方向に間隔を置いて複数個存在するようしてもよい。なお、輝度ムラを考慮すると、均一に全周に存在する方が好ましい。
【００９２】
（７）口金
口金３１７は、ケース３１１の小径筒部３２９に装着される。ここでの口金３１７はＥタイプ部であり、シェル部とアイレット部を有する。なお、口金３１７と光源基板３０９とを接続する配線の図示は省略している。
【００９３】
＜変形例＞
以上、一実施形態に係るＬＥＤ照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００９４】
１．過剰電流抑制手段
実施形態では、過剰電流抑制手段１６の一例として、ポリスイッチ２０１を利用しているが、ヒューズ等の単一の電気部品を利用してもよいし、電流クランプ回路等の複数の電子部品を組み合わせた回路を利用してもよい。
なお、ヒューズやポリスイッチでは構造を簡単にでき、安価に実施できる。また、ポリスイッチでは、過電流が発生して温度が上昇しても再利用でき、コスト的にも優れている。
【００９５】
２．筐体
実施形態では、筐体の例として、第１空間８４と第２空間８７とを有する筐体機能部６２を利用したが、１つの空間に、受電手段と過電流抑制手段とを収容するようにしてもよい。ただし、商用電源と接続された外部配線と過剰電流抑制手段との接触等を考慮すると、２つの空間に分けた方が好ましい。
また、実施形態では、第１空間８４と第２空間８７とが筐体機能部６２に設けられていたが、例えば、第１空間は第１の筐体に、第２空間は第２の筐体にそれぞれ形成されていてもよい。なお、２つの空間を１つの筐体に備えると、結合構造が不要となり、構造が簡単となる。
実施形態では、第１空間８４と第２空間８７とがソケット４１の中心軸と直交する方向に並ぶように筐体（筐体機能部）内に形成されてもよいし、第１空間と第２空間とがソケットの中心軸と平行な方向に並ぶように筐体（筐体機能部）内に形成されてもよい。
【００９６】
３．レセップ
（１）台座部分
実施形態では、本体部１９は台座部分２５を筒部分２７の開口側と反対側の端部に備えていたが、例えば、台座部分が筒部分の軸方向の中央部分に存在してもよい。この場合も、支持体１２は、台座部分とバッフルの間に配される。
（２）張出領域
実施形態では、本体部１９は、筒部分２７の中心軸を挟んで対向する２か所に張出領域３５を有していたが、対向しない２か所に張出領域があってもよい。また、張出領域は、１か所に設けられてもよいし、３か所以上あってもよい。
【００９７】
４．伝熱シート
実施形態では、伝熱シート１８を装置本体３側に設けていたが、ＬＥＤランプ３０１のブラケット３１３の大径底部分３５９に設けるようにしてもよい。さらに、照明装置は、装置本体とＬＥＤランプと異なる構成として、伝熱シートを備えるようにしてもよい。
【符号の説明】
【００９８】
１    ＬＥＤ照明装置
３    装置本体
１１    レセップ
１２    支持体
１３    バッフル
１４    受電手段
１５    本体カバー
１６    過剰電流抑制手段
１７    取付ばね
４１    ソケット
２０１    ポリスイッチ
２０３    基板
３０１    ＬＥＤランプ
３０３    ＬＥＤ
３０５    点灯回路
３０９    光源基板
３１１    ケース
３１３    ブラケット
３１５    透光性カバー
３１７    口金
【図１】
0006537295.tif 000002
【図２】
0006537295.tif 000003
【図３】
0006537295.tif 000004
【図４】
0006537295.tif 000005
【図５】
0006537295.tif 000006
【図６】
0006537295.tif 000007
【図７】
0006537295.tif 000008
【図８】
0006537295.tif 000009
【図９】
0006537295.tif 000010
【図１０】
0006537295.tif 000011
【図１１】
0006537295.tif 000012
【図１２】
0006537295.tif 000013
【図１３】
0006537295.tif 000014
【図１４】
0006537295.tif 000015
【図１５】
0006537295.tif 000016
【図１６】
0006537295.tif 000017
【図１７】
0006537295.tif 000018
【図１８】
0006537295.tif 000019
【図１９】
0006537295.tif 000020
【図２０】
0006537295.tif 000021
【図２１】
0006537295.tif 000022